(57)【要約】【課題】勾配床部等の部品が不要で部品点数が少なく、施工も容易であり、しかも軒先部において確実に排水することができる屋根軒先部の排水構造を提供する。【解決手段】屋根１５の軒先部の上面１５ａに、水平面形成部材２０がその上面２０ａを水平または若干内側に傾斜させるようにして固定され、竪樋２１は、水平面形成部材２０の先端から所定距離だけ基端側に離間した部位に設けられているので、竪樋２１を、屋根１５の軒先部をパラペット１に接合するための釘や補強材等を避けて容易に設置できる。したがって、勾配床部等の部品が不要で部品点数が少なく、施工も容易であり、しかも屋根１５の軒先部において確実に排水することができる。【選択図】図２
2005126999.tif 000002
【特許請求の範囲】
【請求項１】
建物本体の上端部にパラペットが立設され、このパラペットに屋根の軒先部が接合されてなる屋根軒先部の排水構造であって、
前記屋根の軒先部の上面には、軒先部に沿って延在する水平面形成部材がその上面を水平または若干内側に傾斜させるようにして固定されており、
前記水平面形成部材の先端から所定距離だけ基端側に離間した部位には、竪樋がその上端開口を前記水平面形成部材の上面に開口して設けられていることを特徴とする屋根軒先部の排水構造。
【請求項２】
請求項１に記載の屋根軒先部の排水構造において、
前記水平面形成部材は、横断面直角三角形状に形成されており、上面と斜面とのなす角度が、屋根の上面と水平面とのなす角度と等しいことを特徴とする屋根軒先部の排水構造。
【請求項３】
請求項１または２に記載の屋根軒先部の排水構造において、
前記屋根の上面には、防止シートが前記水平面形成部材の上面を覆うようにして取り付けられており、この防水シートの先端部は前記水平面形成部材の先端から立上げられて、前記パラペットの上端部まで延出されていることを特徴とする屋根軒先部の排水構造。
【請求項４】
請求項１〜３のいずれか一項に記載の屋根軒先部の排水構造において、
前記パラペットには、支持桁材が固定されており、この支持桁材によって前記屋根の軒先部の下面が支持されていることを特徴とする屋根軒先部の排水構造。
【請求項５】
請求項１〜４のいずれか一項に記載の屋根軒先部の排水構造において、
前記屋根の下方には天井が設けられており、この天井と前記屋根との間の屋根裏空間に、前記竪樋が配管されていることを特徴とする屋根軒先部の排水構造。
【発明の詳細な説明】
【技術分野】
【０００１】
本発明は、建物本体の上端部にパラペットが立設されたパラペットに屋根パネルの軒先部が接合されてなる屋根軒先部の排水構造に関する。
【背景技術】
【０００２】
住宅等の建物において、バルコニーの排水構造の一例として例えば特許文献１に記載の技術が知られている。この技術では、バルコニーの床上面に、勾配床部を設置することによってバルコニーに水勾配を設けるとともに、バルコニーの床の先端部に排水口を設けている。勾配床部は、上面が傾斜した勾配材を複数所定間隔で配置し、これら勾配材の傾斜した上面に合板等の面材を取り付けることによって、上面を傾斜させてなるものである。
上記のようなバルコニーの排水構造では、バルコニーに降った雨水は、勾配床部の上面を流れて排水口に流入し、この排水口に接続された竪樋によって外部に排水されるようになっている。
【特許文献１】特開２００２−３７１６５５号公報
【発明の開示】
【発明が解決しようとする課題】
【０００３】
ところで、市街地等のように住宅が密集しており敷地面積が狭い場合には、通常の切妻屋根を備えた建物では、屋根の軒先が隣地や道路と干渉してしまう可能性がある。そこで、建物の屋根を陸屋根にするとともに、建物本体にパラペットを立設することによって、上述したような切妻屋根による不具合を解消することができる。
木造の建物において、陸屋根を形成する場合、例えば建物本体の上端部に、陸屋根を水平に設けるが、屋根の上面が水平であると水はけが悪くなるので、陸屋根に若干の水勾配を付けるのが望ましい。この場合において、前記特許文献１に記載されている、勾配床部を陸屋根の上面に設置することによって、陸屋根に水勾配を付けることができる。
しかし、この場合、陸屋根以外に勾配床部を必要とするので、この勾配床部の分だけ部品点数が増加するとともに、施工にも手間がかかることになる。
【０００４】
そこで、建物本体の上端部にパラペットを立設し、このパラペットに屋根の軒先部を接合すれば、勾配床部が不要であり、施工も容易となる。
しかし、屋根の上面に水勾配が付いているので、屋根の軒先部とパラペットとの接合部に雨水が溜り、この雨水を排水するのが困難となる。つまり、接合部には、屋根の軒先部をパラペットに接合するための釘や補強材等が存在しているため、これらを避けて排水用の竪樋を設置するのは困難である。
【０００５】
本発明は上記事情に鑑みてなされたものであり、勾配床部等の部品が不要で部品点数が少なく、施工も容易であり、しかも軒先部において確実に排水することができる屋根軒先部の排水構造を提供することを課題としている。
【課題を解決するための手段】
【０００６】
上記課題を解決するために、請求項１に記載の発明は、例えば図１および図２に示すように、建物本体２の上端部にパラペット１が立設され、このパラペット１に屋根１５の軒先部が接合されてなる屋根軒先部の排水構造であって、
前記屋根１５の軒先部の上面１５ａには、軒先部に沿って延在する水平面形成部材２０がその上面２０ａを水平または若干内側に傾斜させるようにして固定されており、
前記水平面形成部材２０の先端から所定距離だけ基端側に離間した部位には、竪樋２１がその上端開口を前記水平面形成部材２０の上面２０ａに開口して設けられていることを特徴とする。
【０００７】
ここで、水平面形成部材の上面を若干内側に傾斜させるとは、例えば図３に示すように、屋根１５の軒先側から棟側に向かう方向において若干下方に傾斜させることを意味する。例えば、水平面形成部材４０の上面４０ａの水勾配が１／１２以下程度の僅かな傾斜となるように傾斜させるのが望ましい。
【０００８】
請求項１に記載の発明によれば、屋根１５の軒先部の上面１５ａに、水平面形成部材２０がその上面２０ａを水平または若干内側に傾斜させるようにして固定されているので、屋根１５の軒先部とパラペット１との接合部に雨水が溜るのを防止できる。屋根１５に降った雨水は水平面形成部材２０に設けられた竪樋２１によって排水できる。
そして、竪樋２１は、水平面形成部材２０の先端から所定距離だけ基端側に離間した部位に設けられているので、竪樋２１を、屋根１５の軒先部をパラペット１に接合するための釘（スクリュー釘１２）や補強材（結合桁材１８、支持桁材３０）等を避けて容易に設置できる。
したがって、勾配床部等の部品が不要で部品点数が少なく、施工も容易であり、しかも屋根１５の軒先部において確実に排水することができる。
【０００９】
請求項２に記載の発明は、請求項１に記載の屋根軒先部の排水構造において、
前記水平面形成部材２０は、横断面直角三角形状に形成されており、上面２０ａと斜面２０ｂとのなす角度が、屋根１５の上面１５ａと水平面とのなす角度と等しいことを特徴とする。
【００１０】
請求項２に記載の発明によれば、水平面形成部材２０の斜面２０ｂを屋根１５の上面１５ａに当接することによって、水平面形成部材２０の上面２０ａが水平となるので、屋根１５の軒先部の上面１５ａに、水平面形成部材２０をその上面２０ａが容易かつ確実に水平となるようにして固定できる。
【００１１】
請求項３に記載の発明は、請求項１または２に記載の屋根軒先部の排水構造において、
前記屋根１５の上面１５ａには、防止シート２５が前記水平面形成部材２０の上面２０ａを覆うようにして取り付けられており、この防水シート２５の先端部は前記水平面形成部材２０の先端から立上げられて、前記パラペット１の上端部まで延出されていることを特徴とする。
【００１２】
請求項３に記載の発明によれば、屋根１５の上面１５ａに取り付けられた防止シート２５が水平面形成部材２０の上面２０ａを覆っており、さらにこの防水シート２５の先端部が水平面形成部材２０の先端から立上げられて、パラペット１の上端部まで延出されているので、屋根１５の軒先部とパラペット１との接合部の防水を確実に行うことができる。
【００１３】
請求項４に記載の発明は、請求項１〜３のいずれか一項に記載の屋根軒先部の排水構造において、
前記パラペット１には、支持桁材３０が固定されており、この支持桁材３０によって前記屋根１５の軒先部の下面が支持されていることを特徴とする。
【００１４】
請求項４に記載の発明によれば、パラペット１に固定された支持桁材３０によって屋根１５の軒先部の下面が支持されているので、屋根１５の軒先部を建物本体２の上端部に立設されたパラペット１によって確実に支持できる。
【００１５】
請求項５に記載の発明は、請求項１〜４のいずれか一項に記載の屋根軒先部の排水構造において、
前記屋根１５の下方には天井３２が設けられており、この天井３２と前記屋根１５との間の屋根裏空間３４に、前記竪樋２１が配管されていることを特徴とする。
この場合、竪樋２１は、屋根裏空間３４に配管したうえで、パラペット１や外壁３を貫通して外部に配管してもよいし、パラペット１の内部から建物本体２の外壁３の内部を通して配管したうえで、外壁３を貫通して外部に配管してもよい。
【００１６】
請求項５に記載の発明によれば、屋根２の軒先側に流れてくる雨水を屋根裏空間３４に配管された竪樋２１を介して容易に排水できる。
【発明の効果】
【００１７】
本発明によれば、屋根に降った雨水を排水する竪樋が、屋根の軒先部の上面に固定された水平面形成部材の先端から所定距離だけ基端側に離間した部位に設けられているので、竪樋を、屋根の軒先部をパラペットに接合するための釘や補強材等を避けて容易に設置できる。したがって、勾配床部等の部品が不要で部品点数が少なく、施工も容易であり、しかも屋根の軒先部において確実に排水することができる。
また、水平面形成部材が、横断面直角三角形状に形成されており、上面と斜面とのなす角度が、屋根の上面と水平面とのなす角度と等しいので、水平面形成部材の斜面を屋根の上面に当接することによって、水平面形成部材の上面が水平となる。したがって、屋根の軒先部の上面に、水平面形成部材をその上面が容易かつ確実に水平となるようにして固定できる。
【００１８】
さらに、防止シートが水平面形成部材の上面を覆うとともに、この防水シートの先端部が水平面形成部材の先端から立上げられて、パラペットの上端部まで延出されているので、屋根の軒先部とパラペットとの接合部の防水を確実に行うことができる。
加えて、パラペットに固定された支持桁材によって屋根の軒先部の下面が支持されているので、屋根の軒先部をパラペットによって確実に支持できる。
また、屋根の下方に設けられた天井と屋根との間の屋根裏空間に、竪樋が配管されているので、屋根の軒先側に流れてくる雨水を竪樋を介して容易に排水できる。
【発明を実施するための最良の形態】
【００１９】
以下、図面を参照して本発明の実施の形態について説明する。
図１において、符号１はパラペットを示す。このパラペット１は建物本体２の外壁３上に立設されたものである。建物本体２は、例えば周知のパネル工法によって構築されたものであり、外壁３は壁パネル４と、この壁パネル４の表面側に胴縁５を介して取り付けられた外装材６とを備えている。また、壁パネル４の裏面側には石膏ボード７が取り付けられている。
【００２０】
パラペット１は、壁パネル８と、この壁パネル８の表面側に胴縁５を介して取り付けられた外装材６とを備えている。壁パネル８は框材８ａを矩形枠状に組み立ててなる矩形枠の表裏両面に合板等の面材８ｂを取り付けたものである。そして、複数の壁パネル８を横方向に接合することによって、前記パラペット１が構成されている。壁パネル８の上端部には、パラペット１の長さ方向に長尺な頭繋ぎ材１０が設けられており、この頭繋ぎ材１０によって複数の壁パネル８の上端部が連結されている。
パラペット１を構成する壁パネル８は、建物本体２の外壁３を構成する壁パネル４に胴差ボルト１１によって連結されるとともに、スクリュー釘１２を斜め打ちすることによって固定されている。なお、壁パネル８と壁パネル４の接合面は接着剤によっても接合されている。
また、前記頭繋ぎ材１０笠木１３が取り付けられている。この笠木１３は頭繋ぎ材１０の長手方向に長尺なものであり、その幅方向の一方の側はパラペット１の外装材６の上端部を覆っている。
このような構成のパラペット１は、例えば建物本体２を平面視した場合において外壁に沿って形成されている。
【００２１】
建物本体２の上部に設けられている屋根１５は、複数の屋根パネル１６を横方向に接合することによって構成されている。屋根パネル１６は框材１６ａを矩形枠状に組み立ててなる矩形枠の表面（上面）に合板等の面材１６ｂを取り付けたものである。また、複数の屋根パネル１６の上面には、さらに合板等の面材１７が取り付けられている。したがって、屋根パネル１６によって構成される屋根１５は上下２枚の面材１７，１６ｂが重ね貼りされた構造となっている。
複数の屋根パネル１６の軒先部には結合桁材１８が設けられている。この結合桁材１８は屋根１５の軒先部に沿って長尺な角材であり、この結合桁材１８によって複数の屋根パネル１６の軒先部が連結されるている。また、結合桁材１８はスクリュー釘１２によってパラペット１の下端部に固定されており、これによって、屋根１５の軒先部が接合されている。また、前記面材１７は屋根パネル１６の先端より若干突出しており、その先端部はパラペット１に当接している。
このような構成の屋根１５の上面１５ａには、１／１２程度の若干の水勾配が付けられており、軒先に向かうほど下方に位置するように傾斜している。
【００２２】
屋根１５の軒先部の上面には、水平面形成部材２０が固定されている。この水平面形成部材２０は、図２に示すように、合板等によって形成されたものであり、屋根１５の軒先部に沿って長尺に形成されている。
また、水平面形成部材２０は、横断面直角三角形状に形成されており、水平である上面２０ａと斜面２０ｂとのなす角度が、屋根１５の上面１５ａと水平面とのなす角度と等しくなっている。
このような水平面形成部材２０は、その斜面２０ｂを屋根１５の上面１５ａに当接するとともに、垂直面２０ｃをパラペット１の裏面に当接し、さらに、上面１５ａからスクリュー釘１２を屋根パネル１６の框材１６ａに打ち込むことによって、屋根１５の軒先部の上面１５ａに固定されている。
【００２３】
また、水平面形成部材２０の先端から所定距離だけ基端側に離間した部位には、竪樋２１がその上端開口を水平面形成部材２０の上面に開口して設けられている。すなわち、水平面形成部材２０の基端部には、貫通孔が形成されており、この貫通孔と対向して前記屋根パネル１６の面材１６ｂと面材１７とに貫通孔が形成されている。
また、竪樋２１は樋本体２１ａと、樋本体２１が接続される排水枡２１ｂとを備えており、この排水枡２１ｂが前記貫通孔に挿入固定されている。
排水枡２１ｂの上端は水平面形成部材２０の上面に開口しており、屋根１５上に降った雨水は屋根１５の上面１５ａを水勾配に沿って流れ、排水枡２１ｂから樋本体２１ａに流入するようになっている。また、排水枡２１ｂには、蓋部材２２が取り付けられている。この蓋部材２２の上面は閉塞されているが、外周面側に多数のスリットまたは孔等の開口部を備えており、これら開口部から雨水が排水枡２１ｂに流入するようになっている。
【００２４】
前記屋根１５の上面１５ａには、この上面１５ａ全体を覆うようにして防水シート２５が取り付けられている。この防水シート２５は水平面形成部材２０の上面を覆っており、さらに、防水シート２５の先端部は水平面形成部材２０の先端から立上げられて、パラペット１の裏面側の上端部まで延出されている。なお、防水シート２５の前記排水枡２１ｂと対応する部分には孔が形成されている。
パラペット１の裏面側の上端部まで立ち上げられている防水シート２５の上端部には、図１に示すように、防水テープ（ブチルシーラ）２６の一端部が貼着されており、この防水テープ２５の他端部は前記頭繋ぎ材１０の上面からパラペット１を構成する壁パネル８の表面側の上端部に垂下され、さらに、壁パネル８の表面側に取り付けられた防水透湿シート２７の上端部に貼着されている。
【００２５】
また、前記パラペット１の下端部には、図１および図２に示すように、支持桁材３０が固定されている。支持桁材３０は屋根１５の軒先部に沿って長尺な角材であり、パラペット１を構成する壁パネル８の框材８ａにスクリュー釘１２によって固定されている。また、支持桁材３０は外壁３を構成する壁パネル４の上端部にもスクリュー釘１２によって固定されている。このよう支持桁材３０には屋根１５の軒先部の下面が設置されいる。つまり、支持桁材３０によって屋根１５の軒先部の下面が支持されている。
また、屋根１５の下方には、図１に示すように、天井３２が水平に設けられている。この天井３２は石膏ボードによって形成されており、その端部は野縁材３３に固定されている。野縁材３３は外壁３を構成する壁パネル４の上端部裏面に固定されている。
前記天井３２と屋根１５の間の屋根裏空間３４に、前記竪樋２１の樋本体２１ａが配管されている。樋本体２１ａは屋根パネル１６の下面より下方に突出されたうえで、横方向に折曲されている。この折曲された樋本体２１ａには、水勾配が付けられており、さらに延出されて例えば外壁３を貫通して外部に配管され、さらに下方に折曲され建物本体２の下端部まで延出されている。
なお、外壁３を構成する壁パネル４内や天井３２の裏側には断熱材３５が設けられている。
【００２６】
上記のように構成された屋根軒先部の排水構造によれば、屋根１５に降った雨水を排水する竪樋２１が、屋根１５の軒先部の上面に固定された水平面形成部材２０の先端から所定距離だけ基端側に離間した部位に設けられているので、竪樋２１を、屋根１５の軒先部をパラペット１に接合するためのスクリュー釘１２や補強材（結合桁材１８、支持桁材３０等）を避けて容易に設置できる。したがって、勾配床部等の部品が不要で部品点数が少なく、施工も容易であり、しかも屋根１５の軒先部において竪樋２１によって確実に排水することができる。
また、水平面形成部材２０が、横断面直角三角形状に形成されており、上面２０ａと斜面２０ｂとのなす角度が、屋根１５の上面１５ａと水平面とのなす角度と等しいので、水平面形成部材２０の斜面２０ｂを屋根１５の上面１５ａに当接することによって、水平面形成部材２０の上面２０ａが水平となる。したがって、屋根１５の軒先部の上面に、水平面形成部材２０をその上面２０ａが容易かつ確実に水平となるようにして固定できる。
また、水平面形成部材２０の垂直面２０ｃをパラペット１の裏面に当接するので、水平面形成部材２０の横方向における位置決めも容易である。
【００２７】
さらに、防止シート２５が水平面形成部材２０の上面２０ａを覆うとともに、この防水シート２５の先端部が水平面形成部材２０の先端から立上げられて、パラペット１の上端部まで延出されているので、屋根１５の軒先部とパラペット１との接合部の防水を確実に行うことができる。
加えて、パラペット１に固定された支持桁材３０によって屋根１５の軒先部の下面が支持されているので、屋根１５の軒先部をパラペット１によって確実に支持できる。
また、屋根１５の下方に設けられた天井３２と屋根１５との間の屋根裏空間３４に、竪樋２１が配管されているので、屋根１５の軒先側に流れてくる雨水を竪樋２１を介して容易に排水できる。
【００２８】
なお、本実施の形態では、屋根１５の軒先部の上面１５ａに水平面形成部材２０をその上面２０ａが水平となるようにして固定したが、図３に示すように、水平面形成部材４０をその上面４０ａが若干内側に傾斜するようにして固定してもよい。この場合、水平面形成部材４０の上面４０ａと屋根１５の上面１５ａとが接続する部分に、竪樋をその上端開口が水平面形成部材４０の上面４０ａに開口するようにして設ける。
【００２９】
また、本実施の形態では、図２に示すように、水平面形成部材２０を横断面直角三角形状に形成したが、これに限ることはない。例えば、図４に示すように、水平面形成部材２０を、合板等で形成された水平面形成部材本体４０と、この水平面形成部材本体４０の下面に２枚重ねで取り付けられた合板等で形成された勾配調整材４０ａ，４１ｂとで構成してもよい。
この場合、勾配調整材４０ａの一方の端部がパラペット１の裏面に当接され、他端部が屋根パネル１６の上面に当接されている。また、勾配調整材４１ｂの一方の端部がパラペット１の裏面に当接され、他端部が屋根パネル１６の上面に当接されている。これによって、水平面形成部材本体４０の上面は水平となっている。つまり、勾配調整材４０ａ，４１ｂは水平面形成部材本体４０の上面が水平となるようにその厚さや長さが調整されている。
このように水平面形成部材２０を水平面形成部材本体４０と、勾配調整材４０ａ，４１ｂとで構成することによって、屋根１５の傾斜に応じて水平面形成部材２０をその上面が水平となるように容易に設置することができる。
なお、勾配調整材の枚数は屋根１５の傾斜等に応じて適宜設定されるものである。また、図４においては竪樋２１等は省略してある。
【図面の簡単な説明】
【００３０】
【図１】本発明の屋根軒先部の排水構造の一例を示す側断面図である。
【図２】図１に示す排水構造の要部の拡大側断面図である。
【図３】本発明の屋根軒先部の排水構造の他の例を示す要部の側断面図である。
【図４】本発明の屋根軒先部の排水構造の他の例を示す要部の側断面図である。
【符号の説明】
【００３１】
１  パラペット
２  建物本体
３  外壁
１５  屋根
１５ａ  屋根の上面
１６  屋根パネル
２０  水平面形成部材
２０ａ  上面
２０ｂ  斜面
２１  竪樋
２５  防水シート
３０  支持桁材
３２  天井
３４  屋根裏空間
【図１】
2005126999.tif 000003
【図２】
2005126999.tif 000004
【図３】
2005126999.tif 000005
【図４】
2005126999.tif 000006